(57)【要約】      （修正有）【課題】密封性に優れ、かつ容易に開封することが出来るとともに、開封時に内容物が漏れにくい紙袋を提供する。【解決手段】最内層の筒状体３を、将来開封口４となる側へ突出させ、その後、開封口４を２回以上折り返し、さらに開封手段を有する当て紙１１で包囲固定して封緘するとともに、開封側とは反対の側の充填口５は２回以上折り返し、さらに、開封手段を具えない当て紙７で包囲固定して封緘するようにした紙袋。【選択図】図２
0003146462.tif 000002
【実用新案登録請求の範囲】
【請求項１】
両端を直線切りした複数層の筒状体からなる紙袋において、
最内層の筒状体を、その他の層の筒状体よりも将来開封口となる側へ突出させ、その後、該開封口となる側を２回以上折り返し、さらに開封手段を有する当て紙で包囲固定して封緘するとともに、
前記開封口となる側とは反対の側の充填口となる側を２回以上折り返し、さらに、当て紙で包囲固定して封緘するようにしたことを特徴とする紙袋。
【請求項２】
前記紙袋は、ヒダ付の紙袋であることを特徴とする請求項１に記載の紙袋。
【請求項３】
前記紙袋は、ヒダなしの紙袋であることを特徴とする請求項１に記載の紙袋。
【請求項４】
前記将来開封口となる側の折り返し回数は３回であることを特徴とする請求項１に記載の紙袋。
【請求項５】
前記開封手段は開封テープであることを特徴とする請求項１に記載の紙袋。
【考案の詳細な説明】
【技術分野】
【０００１】
この考案は、複数層の筒状体からなる紙袋に関し、特に収容した内容物の漏れを可及的に低減させるようにした紙袋に関する。
【背景技術】
【０００２】
一般に紙袋内に内容物、特に内容物として粉体を紙袋内に充填収容して、封緘する場合、封緘口をミシンにより封緘すると、内容物がミシン目から漏れる虞があることから、これを防止するため、従来から袋口部を折り曲げて封緘する方法が採用されている。
【０００３】
このような袋口部を折り曲げて封緘し、これにより収容した内容物の漏れを可及的に低減させるようにした紙袋は、一般的にピンチバックと称され、現在でもその紙袋は広く使用されている。
【０００４】
このピンチバックは、強度、密封性に優れる反面、袋端部を階段状に加工形成し、かなり複雑な形状となっており、生産性及び開封性が劣る難点がある。
【０００５】
これらの欠点を解消するため、従来では特開平４−４４９６０号公報に開示されているように、両端を直線切りした複数層の筒状体の最内層の筒状体を内容物の充填口となる側へ予め突出させるとともに、将来開封口となる側の最内層の筒状体を、前記充填口となる側へ突出させた分だけ引き込み、さらに、前記充填口となる側を少なくとも二回折り曲げ、さらに当て紙で折り曲げ部分を包囲するとともに、将来開封口となる側も少なくとも二回折り曲げ、さらに開封用テープ付きの当て紙で折り曲げ部分を包囲し封緘するものが紹介されている。
【特許文献１】特開平４−４４９６０号公報
【考案の開示】
【考案が解決しようとする課題】
【０００６】
しかしながら、前記特開平４−４４９６０号公報に記載された紙袋の封緘構造では、将来開封口となる側の最内層の筒状体を引き込む構造のため、開封時に、開封側端部に内容物が回りこみ易く、開封テープにより開封口の当て紙を切って開封すると、内容物がこぼれることがあり、また紙袋を構成する複数層の筒状体の層間へ内容物が入り込み易い虞があった。
【０００７】
この考案は、上述した事情に鑑み、密封性に優れ、かつ容易に開封することが出来るとともに、開封時に内容物が漏れにくい紙袋を提供する。
【課題を解決するための手段】
【０００８】
上述した課題を解決するため、この考案の紙袋では、両端を直線切りした複数層の筒状体からなる紙袋において、最内層の筒状体を、その他の層の筒状体よりも将来開封口となる側へ突出させ、その後、該開封口となる側を２回以上折り返し、さらに開封手段を有する当て紙で包囲固定して封緘するとともに、前記開封口となる側とは反対の側の充填口となる側を２回以上折り返し、さらに、当て紙で包囲固定して封緘するようにしている。
【考案の効果】
【０００９】
上述した本考案に関わる紙袋によると、最内層の筒状体が、その他の層の筒状体よりもずれて突出しているので、比較的浅い折幅であっても、一回目の折り曲げが容易で、しかも確実に折り曲げることが出来る。
【００１０】
紙袋を構成する筒状体の層が多いい場合、折り曲げた方向の面と、その反対との面で袋端の位置にずれが大きくなる。15mm程度の浅い折の場合、層が増えるほど折に対する反発が増し、封緘不良を発生させやすく、この程度の倍の深さで折ることが多い。特にヒダ付の紙袋では、ヒダの部分での筒状体の層数は倍となり、この傾向が特に現れやすくなる。これに対し、本願考案の紙袋では、前述したように最内層の筒状体が、その他の層の筒状体よりもずれて突出しているので浅く折り易く、また袋に使用する紙の量も押さえられる。筒状体の層をずらすことでさらに抑えられる。最内層の筒状体が突出した側を開封口とすることで、開封時の内容物の漏れを押さえることが出来る。将来開封口側となる部分で、最内層の筒状体が突出する形状であるため、開封後に全量排出せず小出しで使用する客先でも筒状体の層間に内容物が入り込むことが少ない。
【考案を実施するための最良の形態】
【００１１】
以下、この考案に関わる紙袋の一実施例を詳述する。
【００１２】
図１はこの考案に関わる紙袋１の正面図、図２は、図１のＣＣ概念断面図である。
【００１３】
この紙袋１は、両端を直線切りした２層の筒状体２，３から構成されている。
【００１４】
この２層の筒状体２，３うち、最内層の筒状体３の上下端のうち、将来開封口４となる側の下端３ａは、最外層の筒状体２の下端２ａよりも、外側に突出している。
【００１５】
また最内層の筒状体３の上下端のうち、内容物の充填口５となる側の上端３ｂは、その下端３ａが最外層の筒状体２の下端２ａよりも、外側に突出する分だけ、最外層の筒状体２の上端２ｂよりも内側に引き込まれている。
【００１６】
そして、充填口５側に位置する最外層の筒状体２の一方の表面には、エマルジョン型接着剤からなる接着層６を介し開封テープ等の開封手段を具えない当て紙７の一端が固着されている。なお、この当て紙７の他端には、ホットメルト型接着剤からなる接着層８が塗布されている。
【００１７】
一方、将来開封口４側に位置する最外層の筒状体２の一方の表面には、エマルジョン型接着剤からなる接着層９を介し開封テープ１０等の開封手段を具えた当て紙１１の一端が固着されている。なお、この当て紙１１の他端には、エマルジョン型接着剤からなる接着層１２が塗布されている。なお、図２で符号Ｄは、２層の筒状体２，３間を互いに接着して固定する接着層である。
【００１８】
次に、上述した本願考案に関わる紙袋１に関し、内容物を収容し、各口部を封緘後、落下試験を行い、本願考案に関わる紙袋１の作用効果を検証した。
（試験内容）
【００１９】
図１、図２に示す、最内層の筒状体３の下端３ａと、最外層の筒状体２の下端２ａとの間を１５ｍｍずらしたヒダ付き紙袋１を作成した。
【００２０】
その後、最内層の筒状体３の下端３ａが突出した方を、その下端３ａより上方へ１５ｍｍと４５ｍｍの位置で、図３に示すように、それぞれ同一方向へ２回折り曲げて折込み部分Ｅを形成し、開封テープ１０付き当て紙１１で折込み部分Ｅを包囲し、当て紙１１の接着層１２を最外装の筒状体２の他の表面に接着して、将来開封口４となるよう封緘し、袋状に形成した。
【００２１】
その後、図３に示す充填口５側に位置する、最内層の筒状体３の上端３ｂ間へ粉状の塩化ビニール樹脂を１５kg充填し、最外層の筒状体２の上端２ｂより下方へ１５ｍｍ及び３５ｍｍの位置で、図４に示すように同一方向に２回折り曲げて折込み部分Ｆを形成し、開封テープ等の開封手段がない当て紙７で折込み部分Ｆを包囲し、当て紙７の接着層８を最外層の筒状体２の他の表面に接着して、充填口５を封緘した。
【００２２】
比較として、図示はしないが、同一構成・寸法の紙袋であって、最外層の筒状体が突出（図２でいう２ｂ）した方を、開封テープ１０付き当て紙１１で折込み、将来の開封口となる袋を作成し、これにも同様の内容物を充填し、封緘した。
【００２３】
各袋について、開封口側から着地するよう約５０ｃｍの高さから５回、胴面から着地するよう約８０ｃｍの高さから５回落下させた後、開封テープ１０を引き裂いて開封口４側から開封し、袋外へこぼれた内容物の量を比較した、
（結果）
【００２４】
各袋４袋を用い、こぼれた重量の合計を測定した。
0003146462.tif 000003
【００２５】
結果は、本件の袋（本願考案に関わる紙袋）は、０．１６ｇであるのに対し、比較のための袋は、３．０２ｇであり、開封口４として最内層の筒状体を、将来開封口となる側へ突出させ、その後、開封口を２回以上折り返し、さらに開封手段を有する当て紙で包囲固定して封緘することにより、開封時に内容物がこぼれる量が極めて少ない袋を得ることが出来た。
【００２６】
なお、上記実施例では、将来開封口４となる、最内層の筒状体３の下端３ａが突出した方を、２回折り曲げるようにしたが、この考案は上記実施例に限定されることなく、２回以上、例えば３回折り曲げてもよく、その折り曲げ回数に限定されない。
【００２７】
さらに、上記実施例では、ヒダ付きの紙袋１に付いて詳述したが、紙袋１の形式は、ヒダ付の紙袋に限定されることなく、ヒダ無の紙袋にも適用できることは言うまでもない。さらに、上記実施例では、２層の筒状体からなる紙袋１について詳述したが、筒状体の層の数は上記２層に限定されることなく、２層以上、例えば３層、４層でもよく、その層数に限定されない。
【産業上の利用可能性】
【００２８】
この考案の紙袋は、密封性に優れ、かつ容易に開封することが出来るとともに、開封時に内容物が漏れにくい紙袋に適している。
【図面の簡単な説明】
【００２９】
【図１】図１は本願考案に係わる、紙袋の一部破断正面図。
【図２】図２は、図１のＣＣ概念断面図。
【図３】図３は、本願考案に係わる紙袋の、将来開封口側となる部分を当て紙で包囲固定して封緘した状態を示す概念断面図。
【図４】図４は、本願考案に係わる紙袋の、充填口側を当て紙で包囲固定して封緘した状態を示す概念断面図。
【符号の説明】
【００３０】
１…紙袋
３…最内層の筒状体
４…開封口
５…充填口
７，１１…当て紙
１０…開封手段（開封テープ）
【図１】
0003146462.tif 000004
【図２】
0003146462.tif 000005
【図３】
0003146462.tif 000006
【図４】
0003146462.tif 000007